(57)【要約】【課題】遊技盤の遊技機枠への取付と、遊技盤の電気部品と遊技機枠の電気部品との接続との両立を図る。【解決手段】枠側取付構造体３が可動枠２の盤収納室１８の内部からの可動枠３の前側に横方向に回転され、盤側取付構造体５の上部に位置する盤側回転係合部１４が枠側取付構造体３の上部に位置する枠側回転係合部７に嵌め込まれた後、枠側回転係合部７と盤側回転係合部１４との嵌合部分を中心として遊技盤４の左側部の下部が枠側取付構造体３の方向に向けて回転され、盤側取付構造体５が枠側取付構造体３に嵌め合わせて取り付けられるのに伴い、枠側電気接続構造体１０と盤側電気接続構造体１５とが互いに接続され、電気部品の搭載された遊技盤４を電気部品の搭載された可動枠２に取り付けることによって、遊技盤４の電気部品と可動枠２の電気部品との相互接続が行える。【選択図】図１
2006167183.tif 000002
【特許請求の範囲】
【請求項１】
枠側取付構造体が可動枠の左側部に回転可能に取り付けられ、盤側取付構造体が遊技盤の左側部に固定的に設けられ、枠側取付構造体が可動枠の盤収納室の内部からの可動枠の前側に横方向に回転された状態において、遊技盤が取り付けられる場合、盤側取付構造体の上部に位置する盤側回転係合部が枠側取付構造体の上部に位置する枠側回転係合部に嵌め込まれた後、枠側回転係合部と盤側回転係合部との嵌合部分を中心として遊技盤の左側部の下部が枠側取付構造体の方向に向けて回転されることによって、盤側取付構造体が枠側取付構造体に嵌め合わせて取り付けられたことを特徴とするパチンコ機の遊技盤取付装置。
【請求項２】
枠側電気接続構造体が枠側取付構造体の枠側コネクタ取付部と平行な縦横方向に移動可能に取り付けられたことを特徴とする請求項１記載のパチンコ機の遊技盤取付装置。
【請求項３】
盤側電気接続構造体が盤側取付構造体の盤側コネクタ取付部と平行な縦横方向に移動可能に取り付けられたことを特徴とする請求項１記載のパチンコ機の遊技盤取付装置。
【請求項４】
枠側電気接続構造体が役割分担した枠側内部コネクタおよび枠側外部コネクタを備えたことを特徴とする請求項１記載のパチンコ機の遊技盤取付装置。
【請求項５】
盤側電気接続構造体が役割分担した盤側内部コネクタおよび盤側外部コネクタを備えたことを特徴とする請求項１記載のパチンコ機の遊技盤取付装置。
【請求項６】
枠側電気接続構造体が枠側位置決め部を備えるとともに盤側電気接続構造体が盤側位置決め部を備えたことを特徴とする請求項１記載のパチンコ機の遊技盤取付装置。
【発明の詳細な説明】
【技術分野】
【０００１】
本発明は、電気部品の搭載された遊技盤を電気部品の搭載された遊技機枠に取り付けることによって、遊技盤の電気部品と遊技機枠の電気部品との接続も行える、パチンコ機の遊技盤取付装置に関する。
【背景技術】
【０００２】
パチンコ機には、遊技機枠を前側から見た場合、遊技機枠の左側部に上下一対の枠側取付構造体を前後方向に回転可能に設け、枠側取付構造体を遊技機枠から前側に回転させた状態において、電気部品の搭載された遊技盤を遊技盤の左側部を電気部品の搭載された遊技機枠の前側から枠側取付構造体に挿入し、遊技盤の右側部を人が前側から後側に押すことによって、遊技盤を遊技機枠に取り付けるものが知られている（特許文献１参照）。また、遊技機枠の裏側に溝状の枠側取付構造体とコネクタとを設け、コネクタおよび電気部品の搭載された遊技盤を遊技機枠の一側方から枠側取付構造体に嵌め込むことによって、遊技盤のコネクタと遊技機枠のコネクタとを互いに接続するものも知られている（特許文献２参照）。そこで、前者の回転可能な枠側取付構造体に後者のコネクタを設けることによって、電気部品の搭載された遊技盤を電気部品の搭載された遊技機枠に取り付けるのに伴い、遊技盤のコネクタと遊技機枠のコネクタとを嵌め合わせることによって、遊技盤の電気部品と遊技機枠の電気部品との接続を行うことが考えられる。しかしながら、遊技盤のコネクタおよび遊技機枠のコネクタには、コネクタピンと呼ばれる電気接続端子の本数の多いコネクタが用いられることから、遊技盤を遊技機枠に取り付けるのに伴い、本数の多い電気接続端子どうしを適切に嵌め合わせるために、遊技盤と枠側取付構造体とをがたつくことがないように組み合わせる構造が必要であり、遊技盤と枠側取付構造体とをがたつくことがないように組み合わせるようにした場合、遊技盤の枠側取付構造体への取付作業が面倒となり、にわかに採用しがたいものである。
【特許文献１】特開平８−１９６４７号公報
【特許文献２】特開平８−１７３６１５号公報
【発明の開示】
【発明が解決しようとする課題】
【０００３】
発明が解決しようとする問題点は、電気部品の搭載された遊技盤を電気部品の搭載された遊技機枠に取り付けるのに伴い、遊技盤の電気部品と遊技機枠の電気部品との接続も行える構造が、にわかに採用しがたいという点である。
【課題を解決するための手段】
【０００４】
本発明に係るパチンコ機の遊技盤取付装置は、枠側取付構造体が可動枠の左側部に回転可能に取り付けられ、盤側取付構造体が遊技盤の左側部に固定的に設けられ、枠側取付構造体が可動枠の盤収納室の内部からの可動枠の前側に横方向に回転された状態において、遊技盤が取り付けられる場合、盤側取付構造体の上部に位置する盤側回転係合部が枠側取付構造体の上部に位置する枠側回転係合部に嵌め込まれた後、枠側回転係合部と盤側回転係合部との嵌合部分を中心として遊技盤の左側部の下部が枠側取付構造体の方向に向けて回転されることによって、盤側取付構造体が枠側取付構造体に嵌め合わせて取り付けられたことを最も主要な特徴とする。本発明に係るパチンコ機の遊技盤取付装置において、枠側電気接続構造体が枠側取付構造体の枠側コネクタ取付部と平行な縦横方向に移動可能に取り付けられるか、または、盤側電気接続構造体が盤側取付構造体の盤側コネクタ取付部と平行な縦横方向に移動可能に取り付けられるか、枠側電気接続構造体が役割分担した枠側内部コネクタおよび枠側外部コネクタを備えたり、盤側電気接続構造体が役割分担した盤側内部コネクタおよび盤側外部コネクタを備えたり、枠側電気接続構造体が枠側位置決め部を備えるとともに盤側電気接続構造体が盤側位置決め部を備えたりしてもよい。
【発明の効果】
【０００５】
本発明に係るパチンコ機の遊技盤取付装置は、盤側取付構造体が枠側取付構造体に嵌め合わせて取り付けられるのに伴い、枠側電気接続構造体と盤側電気接続構造体とが互いに接続されることによって、電気部品の搭載された遊技盤を電気部品の搭載された可動枠に取り付けるとともに、遊技盤の電気部品と可動枠の電気部品との相互接続が行えるという利点がある。枠側電気接続構造体が枠側取付構造体の枠側コネクタ取付部と平行な縦横方向に移動可能に取り付けられるか、または、盤側電気接続構造体が盤側取付構造体の盤側コネクタ取付部と平行な縦横方向に移動可能に取り付けられれば、枠側電気接続構造体と盤側電気接続構造体とが適切に接続されるという利点がある。枠側電気接続構造体が役割分担した枠側内部コネクタおよび枠側外部コネクタを備えるか、または、盤側電気接続構造体が役割分担した盤側内部コネクタおよび盤側外部コネクタを備えれば、可動枠の電気部品と枠側電気接続構造体との配線が整頓できたり、遊技盤の電気部品と盤側電気接続構造体との配線が整頓できたりするという利点がある。枠側電気接続構造体が枠側位置決め部を備えるとともに盤側電気接続構造体が盤側位置決め部を備えれば、枠側外部コネクタの電気接続端子と盤側外部コネクタの電気接続端子とが適切に接続されるという利点がある。
【発明を実施するための最良の形態】
【０００６】
図１乃至図１５は、発明を実施するための最良の形態である。図１は、遊技機枠１と遊技盤４とを分解して示す。図２のａ図は枠側取付構造体３を前側から示す。図２のｂ図は枠側取付構造体３を裏側から示す。図３は、枠側電気接続構造体１０を枠側構造躯体６に取り付ける構造を示す。図４は、枠側電気接続構造体１０が枠側構造躯体６に取り付けられた構造を示す。図５のａ図は、枠側構造躯体６の上部を可動枠２に回転可能に取り付ける構造を示す。図５のｂ図は、枠側構造躯体６の上部が可動枠２に回転可能に取り付けられた構造を示す。図６のａ図は、枠側構造躯体６の下部を可動枠２に回転可能に取り付ける構造を示す。図６のｂ図は、枠側構造躯体６の上部が可動枠２に回転可能に取り付けられた構造を示す。図７は、枠側取付構造体３が可動枠２に回転可能に取り付けられた構造を示す。図８のａ図は、枠側構造躯体６の上部が可動枠２の前側に開放された構造を示す。図８のｂ図は、図８のａ図をＢ−Ｂ線に沿い切断した断面を示す。図９のａ図は盤側取付構造体５を前側から示す。図９のｂ図は盤側取付構造体５を裏側から示す。図１０は、盤側取付構造体５が取り付けられた遊技盤４を裏側から示す。図１１は、盤側電気接続構造体１５を盤側構造躯体１３に取り付ける構造を示す。図１２のａ図は、上規制機構８が可動枠２の上規制受止部１２１と前後方向に対向する構造を示す。図１２のｂ図は、上規制機構８が盤側取付構造体５によって可動枠２の上規制受止部１２１から下方に離されるように動いた構造を示す。図１３は、枠側回転係合部７と盤側回転係合部１４とが互いに嵌め合わされた構造を示す。図１４は、枠側取付構造体３と盤側取付構造体５とによって、遊技盤４が可動枠２の盤収納室１８に取り付けられた構造を示す。図１５は、遊技盤取付装置によって遊技盤４が盤収納室１８に取り付けられ、扉２３が閉じられた、平面的な断面を示す。この明細書において、「前」、「後」、「裏」、「左」、「右」、「上」、「下」の方向は、図１の状態に遊技機枠１および遊技盤４を置いて矢印Ａで示す前側から見た場合に特定される方向である。「後」と「裏」とは同じ方向である。
【０００７】
図１を参照し、パチンコ機の遊技盤取付装置における構造について大まかに説明する。遊技盤取付装置は、遊技機枠１の可動枠２に設けられた枠側取付構造体３と、遊技盤４に設けられた盤側取付構造体５とから構成される。枠側取付構造体３は、枠側構造躯体６に枠側回転係合部７と上規制機構８と下規制機構９および枠側電気接続構造体１０を備える。枠側構造躯体６は、可動枠２に上ヒンジ１１および下ヒンジ１２を中心として可動枠２から前側に横方向に開放される可動枠２の前側から可動枠２の方向である後側に横方向に閉じられるように、前後方向に回転可能に取り付けられる。盤側取付構造体５は、盤側構造躯体１３に盤側回転係合部１４および盤側電気接続構造体１５を備える。盤側構造躯体１３は遊技盤４の左側部に固定的に取り付けられる。
【０００８】
そして、遊技機枠１の可動枠２が前側に開けられ、枠側構造躯体６が人によって可動枠２の前側に回転されると、枠側電気接続構造体１０が斜め前側に向き、上規制機構８が枠側構造躯体６から上方への突出量を増加する。その状態において、枠側取付構造体３が可動枠２の方向へと後側に回転しても、上規制機構８が可動枠２の上縁部に前側から衝突して枠側構造躯体６の後側への回転を規制し、枠側構造躯体６の前側に回転された位置が保持される。次に、人が遊技盤４を手で持ち、遊技盤４の前面が前側に向けられ、遊技盤４の裏面１５５が可動枠２の前面に対し斜めに向けられ、遊技盤４の左側部が可動枠２に前側から近づけられる。その状態において、遊技盤４の左側部における上部が下部よりも可動枠２の方向に近くなるように、遊技盤４が傾けられたまま、盤側回転係合部１４が人によって枠側構造躯体６の上部における枠側回転係合部７に上方から嵌め込まれ、盤側取付構造体５が上規制機構８を動かし、上規制機構８の枠側構造躯体６から上方への突出量が減少する。
【０００９】
その後、遊技盤４の左側部における下部が可動枠２の方向に近くなるように、遊技盤４が人によって枠側回転係合部７と盤側回転係合部１４との嵌合部分を中心として下方に回転され、盤側電気接続構造体１５が枠側電気接続構造体１０に接触する。この盤側電気接続構造体１５と枠側電気接続構造体１０とが互いに接触するのに伴い、枠側電気接続構造体１０が枠側構造躯体６の枠側コネクタ取付部１６の前面と平行する矢印Ｘ１で示す横方向と矢印Ｙ１で示す縦方向とに移動し、盤側電気接続構造体１５と枠側電気接続構造体１０との位置が互いに整合し、盤側電気接続構造体１５が枠側電気接続構造体１０に接続された後、下規制機構９が盤側構造躯体１３を前側に抜けないように盤側構造躯体１３の下部に係合する。これによって、遊技盤４の下縁部が可動枠２の盤棚１７と平行な態様になり、遊技盤４の左側部が可動枠２の盤収納室１８に配置される。上記上規制機構８における突出量の減少によって、上規制機構８が可動枠２の上縁部に前側から衝突しない態様になり、枠側取付構造体３が後側に回転可能となる。
【００１０】
引き続き、遊技盤４の右側部が人によって前側から可動枠２の方に押されると、遊技機枠１の盤ロック構造体１９におけるロック操作部２０が遊技盤４のロック取付部２１におけるロック挿入孔２２に後側から挿入されて前側に突出する。その状態において、人がロック操作部２０を例えば左方向に９０度回転操作すると、ロック操作部２０がロック挿入孔２２の周りにおけるロック取付部２１の前面に係合し、遊技盤４が可動枠２の盤収納室１８に取り付けられる。遊技盤４が取り付けられた後、扉２３が閉じられる。これによって、パチンコ機が構成される。このパチンコ機は、遊技盤４が遊技機枠１の内部に格納され、遊技盤４の前側が扉２３で覆われ、遊技盤４の遊技領域が遊技機枠１の前側から前面パネル２４を通して視認し得る形態である。
【００１１】
遊技機枠１の前側の構造について説明する。遊技機枠１は、固定枠２５の前側に可動枠２を左側のヒンジ２６で横方向に片開き可能に取り付け、可動枠２の前側に扉２３および球皿構造体２７を左側のヒンジ２８で横方向に片開き可能に取り付けた、構造である。固定枠２５は、パチンコ店の図外の遊技機設置構造体に取り付けるための外枠とも呼ばれ、前後方向に貫通した縦長な長方形の空間を囲む額縁形状である。可動枠２は、遊技盤４を取り付ける前枠とも呼ばれ、前後方向に貫通した縦長な長方形の空間を囲む額縁形状の可動枠本体２９から盤収納構造体３０を内部に延設する。可動枠本体２９の右縦片部には、施錠装置３１と複数のロック機構３２；３３；３４およびロック解除操作体３５が設けられる。盤収納構造体３０は、遊技盤４を装着する前側に開口した盤収納室１８の背壁３６に前後方向に貫通する中央開口部３７を備える。盤収納構造体３０の左側部には、枠側取付構造体３が設けられる。背壁３６の右側部には、盤ロック構造体１９が設けられる。盤ロック構造体１９は、背壁３６から前側に突出する円筒状の台座の中心にロック操作部２０を回転可能に備える。ロック操作部２０は、台座から前側に突出した操作軸の端部に固定された横長な形態である。
【００１２】
盤収納室１８の下縁部は、遊技盤４を搭載する左右方向に平坦な面としての盤棚１７を形成する。盤棚１７から下方に延設された盤収納構造体３０における前壁３８の前面には、球発射機構３９、球発射レール４０、戻り球取入口４１、払出球中継樋４２が設けられる。前壁３８の裏面には、機外排出樋４３が設けられる。球発射レール４０は、球皿構造体２７の球供給口４４から供給された１個の球を受け取る。球発射機構３９は、電力供給と遮断とを交互に受けることによって、球皿構造体２７の球皿部４５から球発射レール４０に供給された球を遊技盤４の遊技領域に向けて１個ずつ発射する。球発射レール４０は、球発射機構３９から発射された球を、遊技盤４における球発射通路の入口に誘導する。払出球中継樋４２は、可動枠２の裏側に設けられた図外の球払出装置から払い出された球を球皿構造体２７の球取入口４６に排出する。機外排出樋４３は、遊技盤４の裏側から排出された球を受け取って遊技機設置構造体における捕球機構に排出する。扉２３は、パネル枠とも呼ばれ、前後方向に貫通する窓４７を囲む額縁形状である。扉２３には、前面パネル２４が窓４７を覆う格好で裏面に取り付けられる。前面パネル２４は、光を透過する性質の有るガラスまたは合成樹脂などの材料からなる板状である。球皿構造体２７の前面には、球皿部４５および発射操作機構４８が設けられる。球皿部４５は、遊技に使用する球を受ける上方に開口した上方から下方に窪む容器である。発射操作機構４８は、遊技者が球を発射するために操作するものである。球皿構造体２７の裏面には、球取入口４６および球供給口４４が設けられる。球取入口４６は、払出球中継樋４２から排出された球を球皿部４５に供給する部分である。球供給口４４は、球皿部４５から球発射機構３９に球を供給する部分である。
【００１３】
遊技機枠１では、可動枠２や扉２３および球皿構造体２７が閉じられてロック機構３２；３３；３４で開閉不能に支持された場合、遊技店の店員が図外のキープレート（鍵）を遊技機枠１の前側から施錠装置３１の鍵穴４９に挿入し、当該キープレートを例えば右側に９０度回転操作すると、固定枠２５と可動枠２とのロック機構３２による支持形態が解除される。この支持形態の解除後に、店員が可動枠２を前側に引くことによって、可動枠２はヒンジ２６を中心として前側に片開きされる。また、上記施錠装置３１の鍵穴４９に挿入されたキープレートが例えば左側に９０度回転操作されると、可動枠２と扉２３とのロック機構３３による支持形態が解除される。この支持形態の解除後に、店員が扉２３を前側に引くことによって、扉２３はヒンジ２８を中心として前側に片開きされる。このように、扉２３が前側に開かれた状態において、店員が可動枠２の前面に設けられたロック解除操作体３５を操作すると、可動枠２と球皿構造体２７とのロック機構３４による支持形態が解除される。この支持形態の解除後に、店員が球皿構造体２７を前側に引くことによって、球皿構造体２７はヒンジ２８を中心として前側に片開きされる。
【００１４】
遊技盤４の裏側の構造について説明する。遊技盤４の裏面１５５には、盤側取付構造体５と盤側配線５１および球案内構造体５２が設けられる。球案内構造体５２は、セット板とも呼ばれ、遊技盤４の前面における図外の内ガイドレールと外ガイドレールとで囲まれた内側の遊技領域から入賞部品やアウト口に取り込まれて遊技盤４の裏側に排出されたパチンコ球と呼ばれる球を、下方に誘導して排出する。遊技盤４の裏側には、遊技盤４の前面に設けられた遊技部品の裏機構が、遊技盤４に形成された図外の逃孔や球案内構造体５２に形成された逃孔５３を経由して遊技盤４の裏側および球案内構造体５２の裏側に突出する。遊技盤４の裏側に突出した裏機構を有する遊技部品は、複数の図柄表示器５４；５５、可動部品５６、図外の複数の入賞部品、図外のサイドランプなどである。図柄表示器５４は、遊技領域の中央に設けられ、液晶表示器、ＣＲＴ表示器、プラズマディスプレイなどのような電気的に表示形態を変えられる画像を表示画面に表示する画像表示器により形成され、裏機構として図柄制御装置５７を備える。図柄表示器５５は、遊技領域の右側下部に設けられ、複数の図柄の印刷された図柄表示体をステップモータで回転する構造であって、裏機構としてステップモータを備える。
【００１５】
球案内構造体５２の裏面には、盤側配線５１と主制御装置５８および複合制御装置５９が設けられる。盤側配線５１は、遊技盤４に設けられた電気部品とを接続する多数本の箔形状の図外の電線が、可撓性を有する合成樹脂基板の表面に付設された構造である。盤側配線５１における電線の表面は、レジスト膜のような電気絶縁材で被覆され、人の接触から保護される。盤側配線５１で接続される遊技盤４に設けられた電気部品としては、主制御装置５８、複合制御装置５９、可動部品５６の駆動源、図柄表示器５５の駆動源、入賞部品の球検出器、可変入賞部品６０の駆動源および球検出器、図柄制御装置５７、図外のサイドランプの表示灯である。遊技盤４の右側部には、ロック取付部２１を備える。ロック取付部２１には、ロック挿入孔２２が前後方向への貫通孔として設けられる。
【００１６】
図２を参照し、枠側取付構造体３の構造について説明する。枠側取付構造体３の枠側構造躯体６は、金属板により、枠側縦骨格部６５、枠側後骨格部６６、枠側上骨格部６７、枠側下骨格部６８、上ヒンジ１１、下ヒンジ１２、上規制取付部６９、下規制取付部７０、枠側回転支持部７１、枠側下盤裏受止部７２、枠側下盤前受止部７３、枠側コネクタ取付部１６を備えた、一体の形状として構成される。枠側縦骨格部６５は、上下方向に長い帯板状である。枠側後骨格部６６は、枠側縦骨格部６５の後縁部から右側に直角に折り曲げられて突出する。枠側上骨格部６７は、枠側後骨格部６６の上縁部から前側に直角に折り曲げられて突出する。枠側上骨格部６７には、上ヒンジ１１が、枠側上骨格部６７から上方に直線的に突出した、ヒンジピンと呼ばれる丸棒として設けられる。枠側下骨格部６８は、枠側後骨格部６６の下縁部から前側に直角に折り曲げられて突出する。枠側下骨格部６８には、下ヒンジ１２およびレバー逃孔７５が設けられる。下ヒンジ１２は、枠側下骨格部６８から下方に直線的に突出した、ヒンジピンと呼ばれる丸棒として設けられる。レバー逃孔７５は、上下方向への貫通孔である。枠側下骨格部６８の下面には、ばね止部７６が、枠側下骨格部６８の下面から下方に直線的に突出した後に前側に直角に折り曲げられて突出する。上規制取付部６９は、枠側上骨格部６７よりも右側に位置し、枠側下骨格部６８の上縁部から上方に直線的に突出する。下規制取付部７０は、枠側下骨格部６８から下方に直角に折り曲げられて突出する。枠側回転支持部７１は、枠側上骨格部６７よりも下方に位置し、枠側縦骨格部６５の前縁部から右側に直角に折り曲げられて突出した部材と、枠側後骨格部６６から右側に直線的に延びた部材とからなる、前後一対である。前後一対の枠側回転支持部７１には、枠側回転係合部７が、枠側回転支持部７１の上縁部から下方に向けて内部に窪む半円弧状に、個別に設けられる。枠側下盤裏受止部７２は、枠側後骨格部６６の右側に延設された下縁部により形成される。枠側下盤前受止部７３は、枠側下骨格部６８の前縁部から上方に直角に折り曲げられて突出する。枠側コネクタ取付部１６は、上下方向の下半部に位置し、枠側縦骨格部６５と平行となるように、枠側後骨格部６６の右縁部から後側に直角に折り曲げられて突出する。
【００１７】
上規制機構８は、上レバー軸８０、上規制レバー８１、上ばね８２を備える。上レバー軸８０は、金属製の丸棒であって、上規制取付部６９に設けられ、上規制取付部６９から前側に突出する。上規制レバー８１は、金属板からなり、上レバー軸８０に上下方向に回転可能に取り付けられる。上規制レバー８１の上レバー軸８０よりも左側に位置する左端部は、枠側構造躯体６の枠側上骨格部６７の真下に配置される。上規制レバー８１の上レバー軸８０よりも右側に位置する右端部は、枠側構造躯体６の上規制取付部６９よりも右側に突出する。上規制レバー８１の右端部には、補強部８３が上規制レバー８１の右端部から後側に直角に折り曲げられて突出する。上規制レバー８１の上レバー軸８０に回転可能に取り付けられた中央部には、ストッパー８４が上規制レバー８１の中央部の上縁部から後側に直角に折り曲げられて突出する。上ばね８２は、金属からなるコイルばねにより構成される。上ばね８２の一端部が上規制取付部６９に固定され、上ばね８２の他端部が上規制レバー８１に固定されることによって、上ばね８２が上規制レバー８１の左端部を矢印Ｗ３で示す上方から下方に向けて付勢する。上規制レバー８１が上ばね８２で下方に向けて付勢されることによって、上規制レバー８１のストッパー８４が枠側構造躯体６の枠側上骨格部６７の右縁部に上方の外側から衝突し、上規制レバー８１の枠側構造躯体６への取付姿勢が位置決めされる。
【００１８】
下規制機構９は、下レバー軸８６、下規制レバー８７、下ばね８８を備える。下レバー軸８６は、金属製の丸棒であって、枠側構造躯体６の下規制取付部７０に固定され、下規制取付部７０から前側に突出する。下規制レバー８７は、金属板からなり、下レバー軸８６に上下方向に回転可能に取り付けられる。下規制レバー８７の下レバー軸８６よりも左側に位置する左端部は、枠側構造躯体６の枠側下骨格部６８の真下に配置される。下規制レバー８７の左端部から上方に突出する先端部は、枠側構造躯体６の枠側下骨格部６８の真下からレバー逃孔７５を経由して枠側下骨格部６８の上方に突出する。下規制レバー８７における枠側下骨格部６８の真下に配置される左端部の上縁部には、操作体８９が、下規制レバー８７の左端部から前側に直角に折り曲げられて突出する。下ばね８８は、金属からなるコイルばねにより構成される。下ばね８８の一端部が枠側構造躯体６のばね止部７６に固定され、下ばね８８の他端部が下規制レバー８７の操作体８９に固定されることによって、下ばね８８が下規制レバー８７の左端部を矢印Ｗ４で示す下方から上方に向けて付勢する。下規制レバー８７が下ばね８８で上方に向けて付勢されることによって、下規制レバー８７の先端部におけるレバー逃孔７５に挿入された部分がレバー逃孔７５を囲む枠側下骨格部６８に下方から衝突し、下規制レバー８７の枠側構造躯体６への取付姿勢が位置決めされ、下規制レバー８７の先端部が枠側構造躯体６の枠側下骨格部６８より上方に突出する。
【００１９】
図３を参照し、枠側電気接続構造体１０の枠側構造躯体６への取り付ける構造について説明する。枠側電気接続構造体１０は、枠側コネクタ基板９１が枠側コネクタ容器９２の前面に固定され、枠側コネクタ容器９２が枠側構造躯体６の枠側コネクタ取付部１６の前面に対し矢印Ｘ１；Ｙ１で示す左右上下方向に移動可能に取り付けられた、構造である。枠側コネクタ基板９１は、プリント配線板からなる回路基板に、枠側内部コネクタ９３および枠側外部コネクタ９４を実装した、構造である。枠側内部コネクタ９３の合成樹脂からなるコネクタボディおよび枠側外部コネクタ９４の合成樹脂からなるコネクタボディが回路基板に固定され、枠側内部コネクタ９３のコネクタピンと呼ばれる電気接続端子および枠側外部コネクタ９４のコネクタピンと呼ばれる電気接続端子が、互いに、電気を伝達するように、回路基板に設けられた箔状の電線で接続される。枠側コネクタ基板９１の上部および下部には、位置決め孔９５およびねじ挿入孔９６が、前後方向への貫通孔として、個別に設けられる。枠側内部コネクタ９３には、可動枠２の裏面に取り付けられた電気部品が枠側配線で接続される。可動枠２の裏面に取り付けられた電気部としては、電源装置、発射払出制御装置、球発射機構３９（図１参照）、表示灯、スピーカなどである。枠側外部コネクタ９４は、図９の盤側外部コネクタ１５９と接続される。
【００２０】
枠側コネクタ容器９２は、合成樹脂からなり、板状の枠側基板固定部９８および枠側位置決め部９９を備える。枠側基板固定部９８の上部および下部には、枠側取付台１００が枠側基板固定部９８の前面から前側に突出する。枠側取付台１００には、位置決め突起１０１およびねじ取付孔１０２が、個別に設けられる。位置決め突起１０１は、位置決め孔９５をがたつくことがないように嵌め込むものであって、枠側取付台１００の前面から前側に突出する。ねじ取付孔１０２は、枠側取付台１００の前面と枠側基板固定部９８の裏面とに貫通する。そして、枠側内部コネクタ９３および枠側外部コネクタ９４が前側に向けられ、位置決め孔９５が枠側コネクタ容器９２の前側から位置決め突起１０１に嵌め込まれると、ねじ挿入孔９６とねじ取付孔１０２とが互いに前後方向で対向する。その後、タッピングスクリューのような止ねじ１０３が枠側コネクタ基板９１の前側からねじ挿入孔９６を経由してねじ取付孔１０２に締結されることによって、枠側コネクタ基板９１が枠側基板固定部９８に固定される（図４参照）。
【００２１】
枠側位置決め部９９は、枠側基板固定部９８の上部から上方に突出するとともに枠側基板固定部９８の下部から下方に突出するように、枠側基板固定部９８の上部および下部に個別に連接され、前面から内部に窪む形状である。枠側位置決め部９９を囲む周壁１０４は、枠側基板固定部９８の左側部および前側に開口し、枠側基板固定部９８の右側部を囲む形状である。周壁１０４の内側に位置する前縁部は、後側から前側に行くにしたがって外側に傾斜する案内面１０５を形成する。枠側位置決め部９９の後壁には、支柱１０７およびねじ取付孔１０８が個別に設けられる。支柱１０７が枠側位置決め部９９の後壁から後側に突出する。ねじ取付孔１０８は、枠側位置決め部９９における後壁の前面および支柱１０７の後面にわたり前後方向への貫通孔として設けられる。枠側位置決め部９９における後壁の裏面は、可動用孔１１０の口径よりも大きな外径を有する平坦面を形成する。
【００２２】
枠側コネクタ取付部１６には、容器逃部１０９および可動用孔１１０が設けられる。容器逃部１０９は、枠側コネクタ取付部１６の右側と前後方向とに開口する。可動用孔１１０は、容器逃部１０９よりも上部および下部に位置し、支柱１０７の外径よりも大きな口径を有し、前後方向への方形な貫通孔として形成される。抜止体１１２は、可動用孔１１０の口径よりも大きな外径を有する。抜止体１１２には、支柱１０７を嵌め込むための支柱受部１１３が、抜止体１１２の中心に位置し、抜止体１１２の前面から内部への窪みとして設けられる。抜止体１１２の前面は、平坦面を形成する。支柱受部１１３の後壁には、ねじ挿入孔１１４が、前後方向への貫通孔として設けられる。
【００２３】
図４を参照し、枠側電気接続構造体１０が枠側構造躯体６に取り付けられた構造について説明する。枠側コネクタ容器９２の支柱１０７が、枠側構造躯体６の前側から可動用孔１１０に個別に挿入され、枠側コネクタ取付部１６から後側に突出した支柱１０７の後端部には、抜止体１１２の支柱受部１１３が、枠側構造躯体６の後側から嵌め込まれ、タッピングスクリューのような止ねじ１１５が、抜止体１１２の後側からねじ挿入孔１１４を経由して枠側位置決め部９９のねじ取付孔１０８に締結され、抜止体１１２の前面と枠側位置決め部９９における後壁の裏面との間の寸法Ｔ１が、枠側コネクタ取付部１６における前後方向の寸法Ｔ２よりも大きい寸法となり（Ｔ１＞Ｔ２）、枠側コネクタ取付部１６が枠側コネクタ容器９２における枠側位置決め部９９の後壁と抜止体１１２との間に存在する。これによって、枠側電気接続構造体１０が枠側コネクタ取付部１６の前面と平行な縦横方向に移動可能に取り付けられる。つまり、枠側構造躯体６が図１の可動枠２に縦方向に取り付けられた場合、支柱１０７が枠側電気接続構造体１０の自重で可動用孔１１０の下縁部に接触して搭載されているが、支柱１０７の外径が可動用孔１１０の口径よりも細いので、枠側電気接続構造体１０は支柱１０７の外径と可動用孔１１０の口径との差の範囲で枠側コネクタ取付部１６の前面と平行な方向に自由に移動することができる。１１６は、枠側外部コネクタ９４をコネクタ基板９１に取り付けた止ねじである。
【００２４】
図５を参照し、枠側取付構造体３における枠側構造躯体６の上部が可動枠２に回転可能に取り付けられる構造について説明する。図５のａ図において、可動枠２の盤収納構造体３０における左側部の上部には、上軸受部１１８、上取付部１１９、上規制逃部１２０および上規制受止部１２１が設けられる。上軸受部１１８は、上ヒンジ１１を盤収納構造体３０の前側から収納し得る窪みであって、盤収納構造体３０の前面および盤収納室１８に開口する。上取付部１１９は、上軸受部１１８の周囲に位置し、盤収納構造体３０の前面から前側に突出する。上取付部１１９には、ねじ取付孔１２２が、上取付部１１９の前面から内部への窪みとして設けられる。上規制逃部１２０は、上軸受部１１８および上取付部１１９よりも右側に位置し、上規制レバー８１の中央部および上規制取付部６９を盤収納構造体３０の前側から収納し得る窪みであって、盤収納構造体３０の前面および盤収納室１８に開口する。上規制受止部１２１は、上規制逃部１２０の右側に位置し、上規制レバー８１の右端部を衝突し得る突起であって、盤収納構造体３０の前面により形成される。上ヒンジ支持体１２３は、上前面板１２４および上軸抜止部１２５を備える。上軸抜止部１２５は、上前面板１２４の裏面から後側に突出する。上前面板１２４には、ねじ挿入孔１２６および上嵌合部１２７が設けられる。ねじ挿入孔１２６は、上軸抜止部１２５の周囲に位置し、前後方向への貫通孔である。上嵌合部１２７は、上取付部１１９を前側から収納し得る窪みであって、ねじ挿入孔１２６を中心とし、上前面板１２４の裏面から内部に窪む。
【００２５】
そして、枠側取付構造体３の上ヒンジ１１が可動枠２の前側から上軸受部１１８に挿入され、枠側構造躯体６の枠側上骨格部６７が盤収納構造体３０から下方に離れて盤収納室１８に配置される。その後、上軸抜止部１２５が可動枠２の前側から上軸受部１１８に挿入され、上嵌合部１２７が上取付部１１９に前側から嵌め込まれ、タッピングスクリューのような止ねじ１２８が上ヒンジ支持体１２３の前側からねじ挿入孔１２６を経由して盤収納構造体３０のねじ取付孔１２２に締結される。これによって、図５のｂ図に示すように、上ヒンジ支持体１２３が盤収納構造体３０に取り付けられ、上軸抜止部１２５が上軸受部１１８の前部を塞ぎ、上ヒンジ１１が上ヒンジ支持体１２３で盤収納構造体３０の上軸受部１１８に回転可能に取り付けられる。
【００２６】
図６を参照し、枠側取付構造体３における枠側構造躯体６の下部が可動枠２に回転可能に取り付けられる構造について説明する。図６のａ図において、可動枠２の盤収納構造体３０における左側部の下部には、下後軸受部１３０と下取付部１３１および下規制逃部１３２が設けられる。下後軸受部１３０は、下ヒンジ１２の後半部を前側から収納し得る窪みであって、可動枠２の前面から内部に半円弧状に窪む。下取付部１３１は、下後軸受部１３０の周囲に位置し、盤収納構造体３０の前面から前側に突出する。下取付部１３１には、ねじ取付孔１３３が、下取付部１３１の前面から内部への窪みとして設けられる。下ヒンジ支持体１３４には、下前軸受部１３５とねじ挿入孔１３６および下嵌合部１３７が設けられる。下前軸受部１３５は、下ヒンジ１２の前部を前側から収納し得る窪みであって、下ヒンジ支持体１３４の裏面から前側である内部に半円弧状に窪む。ねじ挿入孔１３６は、下前軸受部１３５の周囲に位置し、前後方向への貫通孔である。下嵌合部１３７は、下取付部１３１を前側から収納し得る窪みであって、ねじ挿入孔１３６を中心とし、下ヒンジ支持体１３４の裏面から前側である内部へ窪む。
【００２７】
そして、枠側取付構造体３の下ヒンジ１２が可動枠２の前側から下後軸受部１３０に接触され、枠側構造躯体６の枠側下骨格部６８が盤収納構造体３０から下方に離れて盤収納室１８に配置される。その後、下ヒンジ支持体１３４の下前軸受部１３５が可動枠２の前側から下ヒンジ１２に嵌め込まれ、下ヒンジ支持体１３４の下嵌合部１３７が下取付部１３１に前側から嵌め込まれ、タッピングスクリューのような止ねじ１３８が下ヒンジ支持体１３４の前側からねじ挿入孔１３６を経由して盤収納構造体３０のねじ取付孔１３３に締結される。これによって、図６のｂ図に示すように、下ヒンジ１２が下後軸受部１３０と下前軸受部１３５とで前後から挟まれ、下ヒンジ支持体１３４が盤収納構造体３０に取り付けられ、下ヒンジ１２が下ヒンジ支持体１３４で盤収納構造体３０の下後軸受部１３０に回転可能に取り付けられる。
【００２８】
図４および図５で述べたように枠側取付構造体３が可動枠２に取り付けられることによって、枠側取付構造体３は、図７に示すように、上ヒンジ１１および下ヒンジ１２を中心として可動枠２から矢印Ｗ１で示す前側に横方向に開放されるとともに、可動枠２の前側から矢印Ｗ２で示す後側に横方向に閉じられるようなっている。
【００２９】
図８を参照し、枠側取付構造体３が上ヒンジ１１および下ヒンジ１２を中心として可動枠２から矢印Ｗ１で示す前側に横方向に開放された場合と、枠側取付構造体３が上ヒンジ１１および下ヒンジ１２を中心として可動枠２の前側から矢印Ｗ２で示す後側に横方向に閉じられた場合とにおける、可動枠２と枠側取付構造体３との関係について説明する。とりわけ、図８のｂ図において、枠側取付構造体３が、人によって、仮想線で示す位置から矢印Ｗ１で示す前側に横方向に開放されて実線で示す位置に到達すると、枠側構造躯体６の枠側上骨格部６７が、可動枠２の上規制逃部１２０よりも下方に位置して盤収納室１８の奥の隅部に形成された前開放受止部１３９に衝突し、枠側構造躯体６が、それ以上、矢印Ｗ１で示す前側に回転しないように停止する一方、上規制レバー８１における補強部８３の真上に位置する右端部が上ばね８２によって上方に跳ね上げられて可動枠２の上規制受止部１２１と前側に離れて向き合う。
【００３０】
これによって、枠側取付構造体３が、図８のｂ図における実線で示す位置から矢印Ｗ２で示す後側に回転した場合、上規制レバー８１における補強部８３の真上に位置する右端部が、可動枠２の上規制受止部１２１と衝突し、それ以上、矢印Ｗ２で示す後側に回転しないように停止する。つまり、枠側取付構造体３は、人によって、図８のｂ図における仮想線で示す位置から矢印Ｗ１で示す前側に横方向に開放されて実線で示す位置に到達することによって、前開放受止部１３９と上規制受止部１２１との間に保持される。このように枠側取付構造体３が、図８のｂ図に示す実線で示すように前開放受止部１３９と上規制受止部１２１との間に保持された場合、枠側取付構造体３の枠側回転支持部７１の前端部および枠側下骨格部６８の前端部は、可動枠２の盤収納室１８および盤棚１７よりも前側に突出する。
【００３１】
次に、枠側取付構造体３が図８のｂ図に示す実線で示すように前開放受止部１３９と上規制受止部１２１との間に保持された状態において、枠側取付構造体３が人によって矢印Ｗ２で示す後側に回転される場合、上規制レバー８１における補強部８３の真上に位置する右端部が人または図１に示す盤側取付構造体５によって上ばね８２のばね力に抗して可動枠２の上規制受止部１２１よりも下方に回転される。その状態において、枠側取付構造体３が、図８のｂ図に示す実線で示す位置から矢印Ｗ２で示す後側に押されて横方向に閉じられて仮想線で示す位置に到達すると、枠側取付構造体３の枠側回転支持部７１の前端部および枠側下骨格部６８の前端部は、可動枠２の盤収納室１８の内部および盤棚１７の上方に配置されて右側に向いた状態に停止する。図８のｂ図において、仮想線で示す位置の枠側取付構造体３と実線で示す位置の枠側取付構造体３とからなる枠側取付構造体３の最大開放角度θ１は、例えば、４５度になっている。仮想線で示す位置の扉２３における可動枠２の一点鎖線Ｌ１で示す前面に対する前側への最大開放角度θ２は、例えば、１２０度になっている。よって、枠側取付構造体３の最大開放角度θ１は、扉２３の最大開放角度θ２よりも小さい角度である（θ１＜θ２）。
【００３２】
図９を参照し、盤側取付構造体５の構造について説明する。盤側取付構造体５の盤側構造躯体１３は、金属板により、盤側縦骨格部１４１、盤側後骨格部１４２、盤側上骨格部１４３、盤側下骨格部１４４、盤側回転係合部１４、盤側滑走係合部１４５、盤側コネクタ取付部１４６を備えた、一体の形状として構成される。盤側縦骨格部１４１は、上下方向に長い帯状である。盤側後骨格部１４２は、盤側縦骨格部１４１の後縁部から右側に直角に折り曲げられて突出する。盤側上骨格部１４３は、盤側後骨格部１４２の上縁部から前側に直角に折り曲げられて突出する。
【００３３】
盤側上骨格部１４３には、盤挿入溝１４７および盤側回転係合部１４が設けられる。盤挿入溝１４７は、盤側上骨格部１４３と、盤側上骨格部１４３の前縁部から下方に直角に折り曲げられて突出した盤側上盤前受止部１４８と、盤側上骨格部１４３の後縁部から下方に直角に折り曲げられて突出した盤側上盤裏受止部１４９とによって、下方および右側に開口した形状に形成される。盤側回転係合部１４は、盤側上盤前受止部１４８の前面から前側に突出するとともに、盤側上盤裏受止部１４９の裏面から裏側に突出した、ヒンジピンと呼ばれる丸棒として設けられる。盤側下骨格部１４４は、盤側後骨格部１４２の下縁部から前側に直角に折り曲げられて突出する。
【００３４】
盤側下骨格部１４４には、盤側下盤裏受止部１５０および盤側滑走係合部１４５が設けられる。盤側下盤裏受止部１５０は、盤側下骨格部１４４の後縁部から上方に折り曲げられて突出する。盤側滑走係合部１４５は、盤側下盤裏受止部１５０の上縁部から後側に折り曲げられた後に下方に折り曲げられて、下方および左右方向に開口した盤側滑走係合溝１５１を形成する。盤側コネクタ取付部１４６は、上下方向の下半部に位置し、盤側後骨格部１４２と平行となるように、盤側後骨格部１４２の右縁部から右側に直線的に延設される。盤側後骨格部１４２と盤側上盤裏受止部１４９および盤側下盤裏受止部１５０には、木ねじのような止ねじ１５２を挿入するためのねじ挿入孔１５３が設けられる。
【００３５】
図９および図１０を参照し、盤側取付構造体５が遊技盤４に取り付けられた構造について説明する。盤側取付構造体５における盤側上骨格部１４３の盤挿入溝１４７が遊技盤４の左側部の上隅を取り込み、盤側上骨格部１４３の盤側上盤裏受止部１４９と盤側後骨格部１４２と盤側下盤裏受止部１５０および盤側コネクタ取付部１４６が遊技盤４の裏側から裏面１５５に重ね合わされて接触する。その状態において、止ねじ１５２が盤側取付構造体５の裏側からねじ挿入孔１５３を経由して遊技盤４に締結される。これによって、盤側取付構造体５が遊技盤４の左側部に固定的に取り付けられ、盤側電気接続構造体１５が遊技盤４の裏面１５５から後側に突出する。
【００３６】
図１１を参照し、盤側電気接続構造体１５の盤側構造躯体１３への構造について説明する。盤側電気接続構造体１５は、盤側コネクタ基板１５６が盤側コネクタ容器１５７の前面に固定され、盤側コネクタ容器１５７が盤側構造躯体１３の盤側コネクタ取付部１４６の裏面に固定的に取り付けられた、構造である。盤側コネクタ基板１５６は、プリント配線板からなる回路基板に、盤側内部コネクタ１５８および盤側外部コネクタ１５９を実装した、構造である。盤側内部コネクタ１５８の合成樹脂からなるコネクタボディおよび盤側外部コネクタ１５９の合成樹脂からなるコネクタボディが回路基板に固定され、盤側内部コネクタ１５８のコネクタピンと呼ばれる電気接続端子および盤側外部コネクタ１５９のコネクタピンと呼ばれる電気接続端子が、互いに、電気を伝達するように、回路基板に設けられた箔状の電線で接続される。盤側コネクタ基板１５６の上部および下部には、位置決め孔１６０およびねじ挿入孔１６１が、前後方向への貫通孔として、個別に設けられる。盤側内部コネクタ１５８には、図１の盤側配線５１が接続される。これによって、盤側内部コネクタ１５８には、遊技盤４に取り付けられた電気部品が接続される。盤側外部コネクタ１５９は、図２の枠側外部コネクタ９４が接続される。
【００３７】
盤側コネクタ容器１５７は、合成樹脂からなり、板状の盤側基板固定部１６２と盤側位置決め部１６３および取付足１６４を備える。盤側基板固定部１６２の上部および下部には、盤側取付台１６５が盤側基板固定部１６２の裏面から後側に突出する。盤側取付台１６５には、位置決め突起１６６およびねじ取付孔１６７が、個別に設けられる。位置決め突起１６６は、位置決め孔１６０をがたつくことがないように嵌め込むものであって、盤側取付台１６５の裏面から後側に突出する。ねじ取付孔１６７は、盤側取付台１６５の裏面と盤側基板固定部１６２の前面とに貫通する。そして、盤側内部コネクタ１５８および盤側外部コネクタ１５９が前側に向けられ、位置決め孔１６０が盤側コネクタ容器１５７の後側から位置決め突起１６６に嵌め込まれると、ねじ挿入孔１６１とねじ取付孔１６７とが互いに前後方向で対向する。その後、止ねじ１６８が盤側コネクタ基板１５６の後側からねじ挿入孔１６１を経由してねじ取付孔１６７に締結されることによって、盤側コネクタ基板１５６が盤側コネクタ容器１５７に固定される。
【００３８】
盤側位置決め部１６３は盤側基板固定部１６２の上部から上方および左側に突出するとともに盤側基板固定部１６２の下部から下方および左側に突出するように、盤側基板固定部１６２の上部および下部に個別に連接される。取付足１６４は、盤側基板固定部１６２の上部から後方に突出するとともに盤側基板固定部１６２の下部から後方に突出するように、盤側基板固定部１６２の上部および下部に個別に連接される。タッピングスクリューのような止ねじ１６９が、取付足１６４の裏側から取付足１６４を貫通して盤側コネクタ取付部１４６に締結されることによって、盤側コネクタ容器１５７が盤側構造躯体１３に固定される。
【００３９】
図１、図７、図１２乃至図１４を参照し、遊技盤取付装置の作用について説明する。図７および図１２のａ図に示すように、枠側取付構造体３が上ヒンジ１１および下ヒンジ１２を中心として可動枠２から図７の矢印Ｗ１で示す前側に横方向に最大に開放されて保持された状態において、遊技盤４が可動枠２に取り付けられる。その場合、図１３に示すように、人が遊技盤４を手で持ち、遊技盤４の前面１７０が前側に向けられ、遊技盤４の左側部における上部が下部よりも可動枠２の方向に近くなるように、遊技盤４が傾けられたまま、盤側上骨格部１４３が前後一対の枠側回転支持部７１の間に挿入されつつ、盤側回転係合部１４が枠側回転係合部７に上方から嵌め込まれる。このように盤側回転係合部１４が枠側回転係合部７に嵌め込まれるのに伴い、図１２のｂ図に示すように、盤側構造躯体１３が上規制レバー８１の左端部を上レバー軸８０を中心として上方に動かすことによって、上規制レバー８１の右端部が上レバー軸８０を中心として上規制受止部１２１から下方に離れるように動く。
【００４０】
引き続き、図１３に示すように、盤側下盤裏受止部１５０の裏面が枠側下盤裏受止部７２の前面に接触される。盤側下盤裏受止部１５０と枠側下盤裏受止部７２とが互いに接触したまま、遊技盤４の左側部における下部が枠側縦骨格部６５の方向に近くなるように、遊技盤４が人によって枠側回転係合部７と盤側回転係合部１４との嵌合部分を中心として矢印Ｗ５で示す下方に回転されると、盤側滑走係合溝１５１が枠側下盤裏受止部７２に上方から挿入され、盤側滑走係合部１４５と枠側下盤裏受止部７２とが互いに嵌め合わされ、盤側下骨格部１４４が枠側取付構造体３の下規制レバー８７の先端部を下方に押し下げる。さらに、遊技盤４が人によって枠側回転係合部７と盤側回転係合部１４との嵌合部分を中心として矢印Ｗ５で示す下方に回転されると、盤側位置決め部１６３と枠側位置決め部９９とが互いに嵌め合わされるのに伴い、枠側電気接続構造体１０が枠側構造躯体６の枠側コネクタ取付部１６の前面と平行に矢印Ｘ１；Ｙ１で示す縦横方向に移動し、盤側電気接続構造体１５と枠側電気接続構造体１０との位置が互いに整合し、盤側電気接続構造体１５が枠側電気接続構造体１０に接続される。図１３において、遊技盤４の前面１７０からは、遊技盤４の前面１７０に設けられた、内ガイドレール、外ガイドレール、遊技領域、入賞部品、アウト口、サイドランプなどの遊技部品の図示を省略してある。
【００４１】
引き続き、遊技盤４の矢印Ｗ５で示す下方への回転に伴い、盤側下骨格部１４４が枠側取付構造体３の下規制レバー８７の先端部を枠側縦骨格部６５の方向に越え、下規制レバー８７の先端部が遊技盤４の下面に接触することによって、下規制機構９が盤側構造躯体１３を枠側縦骨格部６５から離れる方向に抜けないように盤側下骨格部１４４に係合する。これによって、図１４に示すように、下規制機構９の枠側下骨格部６８よりも上方の先端部が遊技盤４の逃部１５４に収納され、遊技盤４の下縁部が可動枠２の盤棚１７と平行な態様になり、遊技盤４の左側部が可動枠２の盤収納室１８に配置される。上記上規制機構８における突出量の減少によって、上規制機構８が可動枠２の上縁部に前側から衝突しない態様になり、枠側取付構造体３が後側に回転可能となる。逃部１５４は、図９に示す盤側下骨格部１４４に上下方向への貫通孔として形成されるとともに図１３示す遊技盤４の下面から内部への窪みとして形成されている。
【００４２】
その後、遊技盤４の右側部が人によって前側から可動枠２の方に押されると、図１に示す遊技機枠１の盤ロック構造体１９におけるロック操作部２０が遊技盤４のロック取付部２１におけるロック挿入孔２２に後側から挿入されて前側に突出する。その状態において、人がロック操作部２０を例えば左方向に９０度回転操作すると、ロック操作部２０がロック挿入孔２２の周りにおけるロック取付部２１の前面に係合し、遊技盤４が可動枠２の盤収納室１８に取り付けられる。
【００４３】
遊技盤４が可動枠２の盤収納室１８に取り付けられた状態において、遊技盤４を可動枠２から取り外す場合について説明する。扉２３が前側に開けられた後、人がロック操作部２０を右方向に９０度回転操作し、ロック操作部２０がロック挿入孔２２から前側に抜けるようにロック挿入孔２２と対向される。そして、遊技盤４の右側部が人によって可動枠２の前側に引き出されると、ロック操作部２０がロック挿入孔２２から抜けるとともに、枠側取付構造体３が上ヒンジ１１および下ヒンジ１２を中心として可動枠２から図７の矢印Ｗ１示す前側に横方向に開かれる。そして、枠側取付構造体３が最大に開放されて保持された状態において、人が盤側取付構造体５の操作体８９を下方に操作すると、下規制レバー８７が下方に回転し、下規制レバー８７と下規制機構９による盤側下骨格部１４４との係合が解除される。そのまま、遊技盤４の下縁部が上方に移動するように、人が遊技盤４の下縁部を持ち上げるに伴い、遊技盤４が枠側回転係合部７と盤側回転係合部１４との嵌合部分を中心として上方に回転される。この遊技盤４の回転に伴い、盤側電気接続構造体１５が枠側電気接続構造体１０から引き抜かれ、枠側電気接続構造体１０と盤側電気接続構造体１５との接続が解除される。その後、人が遊技盤４を手で持ち上げ、枠側回転係合部７と盤側回転係合部１４との嵌め合いを外し、遊技盤４を可動枠２の盤収納室１８から可動枠２の前側に取り外す。これによって、遊技盤４が可動枠２から前側に取り外される。
【００４４】
最良の形態によれば、図１において、枠側取付構造体３が可動枠２の左側部に回転可能に取り付けられ、盤側取付構造体５が遊技盤４の左側部に固定的に設けられており、枠側取付構造体３が可動枠２の盤収納室１８の内部からの可動枠２の前側に横方向に回転された状態において、遊技盤４を取り付ける場合、盤側取付構造体５の上部に位置する盤側回転係合部１４が枠側取付構造体３の上部に位置する枠側回転係合部７に嵌め込まれた後、枠側回転係合部７と盤側回転係合部１４との嵌合部分を中心として遊技盤４の左側部の下部が枠側取付構造体３の方向に向けて回転されることによって、盤側取付構造体５が枠側取付構造体３に嵌め合わせて取り付けられるのに伴い、枠側電気接続構造体１０と盤側電気接続構造体１５とが互いに接続されるので、電気部品の搭載された遊技盤４を電気部品の搭載された可動枠２に取り付けることによって、遊技盤４の電気部品と可動枠２の電気部品との相互接続が行える。
【００４５】
図１に示すように、枠側内部コネクタ９３には可動枠２に搭載された電気部品が接続され、枠側外部コネクタ９４には盤側外部コネクタ１５９が接続されるというように、枠側電気接続構造体１０が役割分担した枠側内部コネクタ９３および枠側外部コネクタ９４を備えているので、可動枠２の電気部品と枠側電気接続構造体１０との配線が整頓できるという利点がある。また、盤側内部コネクタ１５８には遊技盤４に搭載された電気部品が接続され、盤側外部コネクタ１５９には枠側外部コネクタ９４が接続されるというように、盤側電気接続構造体１５が役割分担した盤側内部コネクタ１５８および盤側外部コネクタ１５９を備えているので、遊技盤４の電気部品と盤側電気接続構造体１５との配線が整頓できるという利点がある。
【００４６】
図３、図１１において、枠側電気接続構造体１０が枠側取付構造体３の枠側コネクタ取付部１６の前面と平行な縦横方向に移動可能に取り付けられ、枠側電気接続構造体１０が枠側位置決め部９９を備え、盤側取付構造体５に設けられた盤側電気接続構造体１５が盤側位置決め部１６３を備えているので、枠側電気接続構造体１０が枠側位置決め部９９を備え、盤側電気接続構造体１５が、互いに嵌合する盤側位置決め部１６３と枠側位置決め部９９とを個別に嵌め込まれることによって、枠側電気接続構造体１０と盤側電気接続構造体１５との位置が整合し、枠側外部コネクタ９４の電気接続端子と盤側外部コネクタ１５９の電気接続端子とが適切に接続されるという利点がある。枠側位置決め部９９が周壁１０４に案内面１０５を備えているので、盤側位置決め部１６３が案内面１０５で誘導されながら枠側位置決め部９９に好適に嵌め込まれるという利点がある。
【００４７】
図３、図４、図９において、支柱１０７が枠側電気接続構造体１０の自重で可動用孔１１０の下縁部に接触して搭載されているので、盤側位置決め部１６３と枠側位置決め部９９とが互いに嵌め込まれる場合、盤側位置決め部１６３が枠側位置決め部９９に挿入されるのに伴い、枠側位置決め部９９が盤側位置決め部１６３で上方に持ち上げられるように、枠側位置決め部９９の枠側コネクタ取付部１６への取付位置と盤側位置決め部１６３の盤側コネクタ取付部１４６への取付位置とが設定されていれば、枠側電気接続構造体１０は支柱１０７の外径と可動用孔１１０の口径との差の範囲で枠側コネクタ取付部１６の前面と平行な方向に自由に移動することができる。
【００４８】
図５のｂ図、図６のｂ図、図８のｂ図において、枠側取付構造体３が可動枠２の前側に回転された場合、枠側取付構造体３の枠側回転支持部７１の前端部および枠側下骨格部６８の前端部が可動枠２の盤収納室１８および盤棚１７よりも前側に突出するので、遊技盤４を取り付ける場合、盤側回転係合部１４を枠側回転係合部７に容易に嵌め込むことができ、盤側取付構造体５の下部が枠側取付構造体３の下部に容易に嵌め込むことができるという利点がある。枠側取付構造体３が可動枠２の前側に回転された場合、枠側取付構造体３が前開放受止部１３９と上規制受止部１２１との間に保持されるので、盤側取付構造体５を枠側取付構造体３に取り付けたり枠側取付構造体３から取り外したりする操作を容易に行うことができるという利点がある。
【００４９】
図１５に示すように、可動枠２に搭載された電気部品の枠側配線１７１に結線されたコネクタ１７２が、可動枠２の裏側から盤収納構造体３０に設けられた配線孔１７３を経由して枠側内部コネクタ９３に嵌め込まれる。このコネクタ１７２と枠側内部コネクタ９３との接続は、遊技盤４が可動枠２の盤収納室１８に取り付けられたり盤収納室１８から取り外されたりされる場合、枠側取付構造体３の回転に伴い、枠側配線１７１が配線孔１７３を前後に移動すれば、上記コネクタ１７２と枠側内部コネクタ９３との接続は外しても外さなくてもよい。枠側配線１７１は、盤側配線５１と同じように可撓性配線で構成されてもよい。１７４は遊技盤４に設けられた外ガイドレール、１７５は遊技盤４に設けられた内ガイドレール、１７６は遊技盤４に設けられた球発射通路、１７７は遊技盤４に設けられた遊技領域である。
【産業上の利用可能性】
【００５０】
盤側電気接続構造体１５は、盤側コネクタ取付部１４６に、盤側コネクタ取付部１４６の裏面と平行な縦横方向に移動可能に取り付けてもよい。この場合、枠側電気接続構造体１０は、枠側コネクタ取付部１６に固定しても最良の形態のように縦横方向に移動可能に設けてもよい。枠側取付構造体３の最大開放角度θ１は、４５度に限定されるものではなく、図８のｂ図に示すように、枠側取付構造体３を前側に回転した場合、枠側取付構造体３が前側に開かれた扉２３と衝突しないで、遊技盤４を可動枠２の前側から取り付けたり取り外したりする操作が可能な範囲であればよい。その範囲は、例えば、４０度から８０度の範囲であろう。支柱１０７を枠側コネクタ取付部１６に設け、可動用孔１１０を枠側コネクタ容器９２に設けて、支柱１０７の外径と可動用孔１１０の口径との差の範囲によって、枠側電気接続構造体１０を枠側コネクタ取付部１６の前面と平行な方向に自由に移動してもよい。盤側電気接続構造体１５を盤側コネクタ取付部１４６に盤側コネクタ取付部１４６の裏面と平行な縦横方向に移動可能に取り付ける場合において、支柱１０７を盤側コネクタ取付部１４６または盤側コネクタ容器１５７の一方に設け、可動用孔１１０を盤側コネクタ取付部１４６または盤側コネクタ容器１５７の他方に設ければよい。
【図面の簡単な説明】
【００５１】
【図１】遊技機枠と遊技盤とを示す分解斜視図（最良の形態）。
【図２】枠側取付構造体を示し、ａ図は前側からの斜視図、ｂ図は裏側からの斜視図（最良の形態）。
【図３】枠側電気接続構造体と枠側構造躯体との取付構造の斜視図（最良の形態）。
【図４】枠側電気接続構造体と枠側構造躯体との組立構造の断面図（最良の形態）。
【図５】枠側構造躯体の上部と可動枠との取付構造を示し、ａ図は分解斜視図、ｂ図は組立斜視図（最良の形態）。
【図６】枠側構造躯体の下部と可動枠との取付構造を示し、ａ図は分解斜視図、ｂ図は組立斜視図（最良の形態）。
【図７】枠側取付構造体と可動枠との取付構造の前側からの斜視図（最良の形態）。
【図８】ａ図は枠側構造躯体の上部が可動枠の前側に開放された構造の前側からの斜視図、ｂ図はａ図のＢ−Ｂ線断面図（最良の形態）。
【図９】盤側取付構造体を示し、ａ図は前側からの斜視図、ｂ図は裏側からの斜視図（最良の形態）。
【図１０】盤側取付構造体を備えた遊技盤の裏側からの斜視図（最良の形態）。
【図１１】盤側電気接続構造体と盤側構造躯体との取付構造を裏側から示す斜視図（最良の形態）。
【図１２】ａ図は上規制機構が上規制受止部と前後方向に対向する正面図。ｂ図は上規制機構が上規制受止部から下方に離された正面図（最良の形態）。
【図１３】枠側回転係合部と盤側回転係合部との嵌合構造の前側からの斜視図（最良の形態）。
【図１４】遊技盤が盤収納室に取り付けられた左側を示す正面図（最良の形態）。
【図１５】遊技盤を盤収納室に取り付け扉を閉じた平面的な断面図（最良の形態）。
【符号の説明】
【００５２】
１    遊技機枠
２    可動枠
３    枠側取付構造体
４    遊技盤
５    盤側取付構造体
６    枠側構造躯体
７    枠側回転係合部
８    上規制機構
９    下規制機構
１０  枠側電気接続構造体
１１  上ヒンジ
１２  下ヒンジ
１３  盤側構造躯体
１４  盤側回転係合部
１５  盤側電気接続構造体
１６  枠側コネクタ取付部
１８  盤収納室
【図１】
2006167183.tif 000003
【図２】
2006167183.tif 000004
【図３】
2006167183.tif 000005
【図４】
2006167183.tif 000006
【図５】
2006167183.tif 000007
【図６】
2006167183.tif 000008
【図７】
2006167183.tif 000009
【図８】
2006167183.tif 000010
【図９】
2006167183.tif 000011
【図１０】
2006167183.tif 000012
【図１１】
2006167183.tif 000013
【図１２】
2006167183.tif 000014
【図１３】
2006167183.tif 000015
【図１４】
2006167183.tif 000016
【図１５】
2006167183.tif 000017